(57)【要約】【課題】受信状況が悪化した場合に確実に代替局サーチを実行させることができるデータ処理装置を提供する。【解決手段】データ処理装置は、放送局からの放送信号を受信する受信機から出力される、放送信号に関する情報を示す情報データと情報データの誤り検出を行うための誤り検出データとに基づいて、情報データの誤り検出を行う誤り検出部と、受信機から出力される受信機の受信状況を示す受信情報を取得する取得部と、誤り検出部の検出結果と放送局の代替局を示す代替局データとに基づいて、取得部が代替局における受信情報を取得できるよう受信機を制御する制御部と、を備える。【選択図】図１
2011120055.tif 000002
【特許請求の範囲】
【請求項１】
放送局からの放送信号を受信する受信機から出力される、前記放送信号に関する情報を示す情報データと前記情報データの誤り検出を行うための誤り検出データとに基づいて、前記情報データの誤り検出を行う誤り検出部と、
前記受信機から出力される前記受信機の受信状況を示す受信情報を取得する取得部と、
前記誤り検出部の検出結果と前記放送局の代替局を示す代替局データとに基づいて、前記取得部が前記代替局における前記受信情報を取得できるよう前記受信機を制御する制御部と、
を備えることを特徴とするデータ処理装置。
【請求項２】
請求項１に記載のデータ処理装置であって、
前記制御部は、
前記誤り検出部が所定の回数だけ前記情報データの誤りを検出すると、前記代替局データに基づいて、前記取得部が前記代替局における前記受信情報を取得できるよう前記受信機を制御すること、
を特徴とするデータ処理装置。
【請求項３】
請求項１に記載のデータ処理装置であって、
前記制御部は、
前記受信情報と、前記誤り検出部の検出結果と、前記代替局データとに基づいて、前記取得部が前記代替局における前記受信情報を取得できるよう前記受信機を制御すること、
を特徴とするデータ処理装置。
【請求項４】
マイクロコンピュータに、
放送局からの放送信号を受信する受信機から出力される、前記放送信号に関する情報を示す情報データと前記情報データの誤り検出を行うための誤り検出データとに基づいて、前記情報データの誤り検出を行う機能と、
前記受信機から出力される前記受信機の受信状況を示す受信情報を取得する機能と、
前記誤り検出部の検出結果と前記放送局の代替局を示す代替局データとに基づいて、前記取得部が前記代替局における前記受信情報を取得できるよう前記受信機を制御する機能と、
を実現させるためのプログラム。
【請求項５】
放送局からの放送信号を受信して、前記放送信号に関する情報を示す情報データと前記情報データの誤り検出を行うための誤り検出データとを生成する受信機と、
前記情報データと前記誤り検出データとに基づいて、前記情報データの誤り検出を行う誤り検出部と、
前記受信機から出力される前記受信機の受信状況を示す受信情報を取得する取得部と、
前記誤り検出部の検出結果と前記放送局の代替局を示す代替局データとに基づいて、前記取得部が前記代替局における前記受信情報を取得できるよう前記受信機を制御する制御部と、
を備えることを特徴とする受信装置。
【発明の詳細な説明】
【技術分野】
【０００１】
本発明は、データ処理装置、受信装置に関する。
【背景技術】
【０００２】
ラジオの放送信号に放送局や曲名等に関するデータを多重して配信するシステムが実用化されている。このようなシステムとしては、例えば、欧州におけるＲＤＳ（Radio Data System）や米国におけるＲＢＤＳ（Radio Broadcasting Data System）が知られている。
【０００３】
図７は、ＲＤＳの放送信号を受信するＲＤＳ受信装置２００の一例である。チューナ２１１のフロントエンド回路（ＦＥ）２５０は、アンテナ２１０で受信された信号のうち、マイコン２１４が指定した放送局の放送信号を選択し、中間周波数のＩＦ信号に変換する。ＩＦアンプ２５１はＩＦ信号を増幅し、検波回路２５２は増幅されたＩＦ信号をＦＭ検波して検波信号を出力する。再生回路２５３は、検波信号から音声信号を生成してスピーカ２１２で音声信号を再生する。
【０００４】
Ｓメータ回路２６０は、ＩＦ信号に基づいて、ＩＦ信号の受信電界強度を示す信号ＳＤＣと、ＩＦ信号の変動成分の信号である信号ＳＡＣとを生成する。クオリティセンサ回路（Ｑセンサ）２６１は、信号ＳＡＣに基づいて、所望のチャネルの隣接妨害やマルチパスノイズ等の有無を検出し、検出結果を示す信号ＳＱを出力する。ＩＦカウンタ２６２は、所望のチャネルの隣接妨害を検出すべく、ＩＦ信号の周波数をカウントする。
【０００５】
ＲＤＳ復調回路２１３は、検波信号からＲＤＳ信号を復調する。マイコン２１４は、ＲＤＳ信号をデコードし、現在指定されている放送局と同一の番組を放送している代替局の情報等を取得する。また、マイコン２１４は、信号ＳＤＣ、信号ＳＱ、ＩＦカウンタ２６２のカウント値に基づいて、指定された放送局の受信状況を確認する。そして、マイコン２１４は、指定された放送局の受信状況が悪化すると、例えばＲＤＳ受信装置２００に代替局の受信状況を確認させるための代替局サーチを開始する（例えば、特許文献１）。
【先行技術文献】
【特許文献】
【０００６】
【特許文献１】特開平１０−１６３８９５号公報
【発明の概要】
【発明が解決しようとする課題】
【０００７】
前述のマイコン２１４は、代替局サーチを開始するか否かを、例えば、受信電界強度を示す信号ＳＤＣのレベルが所定レベル以下になる回数や、隣接妨害やマルチパスノイズ等があることを示す信号ＳＱが出力される回数等に基づいて判定する。このため、例えば、クオリティセンサ回路２６１には、精度よくマルチパスノイズ等を検出することが求められる。
【０００８】
ここで、クオリティセンサ回路２６１の一例を、図８を参照しつつ説明する。クオリティセンサ回路２６１は、例えば、ハイパスフィルタ（ＨＰＦ）２７０、整流回路２７１、ローパスフィルタ（ＬＰＦ）２７２、及び判定回路２７３を含んで構成される。ハイパスフィルタ２７０は、信号ＳＡＣに含まれるマルチパスノイズ等を抽出すべく、信号ＳＡＣの高周波成分を通過させる。整流回路２７１は、ハイパスフィルタ２７０で抽出されたマルチパスノイズ等を整流する。ローパスフィルタ（ＬＰＦ）２７２は、整流されたマルチパスノイズ等を積分することにより、マルチパスノイズ等のレベルに応じた直流電圧を生成する。判定回路２７３は、ローパスフィルタ２７２の直流電圧を、所定レベルの電圧と比較することにより、マルチパスノイズ等が生じているか否かを判定する。具体的には、ローパスフィルタ２７２の直流電圧が所定レベルの電圧より高い場合、判定回路２７３は、マルチパスノイズ等が有ることを示す信号ＳＱを出力する。
【０００９】
このように、クオリティセンサ回路２６１では、ローパスフィルタ２７２でマルチパスノイズ等を積分した後にマルチパスノイズ等の有無の判定をしている。このため、マルチパスノイズ等のうち、特に周波数成分の高いノイズを検出できないことがある。したがって、ＲＤＳ受信装置２００では、マルチパスノイズ等が生じて音声信号が悪化している場合であっても、代替局サーチが開始されないことがある。
【００１０】
本発明は上記課題を鑑みてなされたものであり、受信状況が悪化した場合に確実に代替局サーチを実行させることができるデータ処理装置を提供することを目的とする。
【課題を解決するための手段】
【００１１】
上記目的を達成するため、本発明の一つの側面に係るデータ処理装置は、放送局からの放送信号を受信する受信機から出力される、前記放送信号に関する情報を示す情報データと前記情報データの誤り検出を行うための誤り検出データとに基づいて、前記情報データの誤り検出を行う誤り検出部と、前記受信機から出力される前記受信機の受信状況を示す受信情報を取得する取得部と、前記誤り検出部の検出結果と前記放送局の代替局を示す代替局データとに基づいて、前記取得部が前記代替局における前記受信情報を取得できるよう前記受信機を制御する制御部と、を備える。
【発明の効果】
【００１２】
受信状況が悪化した場合に確実に代替局サーチを実行させることができるデータ処理装置を提供することができる。
【図面の簡単な説明】
【００１３】
【図１】本発明の一実施形態であるＲＤＳ受信装置１０の構成を示す図である。
【図２】クオリティセンサ回路４１の構成を示す図である。
【図３】ＲＤＳデータの構成を示す図である。
【図４】マイコン２４が実現する機能ブロックを示す図である。
【図５】マイコン２４がＲＤＳデータに基づいて受信状況の悪化を判定する際のフローチャートである。
【図６】ＲＤＳ受信装置１０の動作を説明するためのフローチャートである。
【図７】ＲＤＳ受信装置２００の構成を示す図である。
【図８】クオリティセンサ回路２６１の構成を示す図である。
【発明を実施するための形態】
【００１４】
本明細書および添付図面の記載により、少なくとも以下の事項が明らかとなる。
【００１５】
図１は、本発明の一実施形態であるＲＤＳ受信装置１０の構成を示す図である。ＲＤＳ受信装置は、ＲＤＳの放送信号を受信して再生可能なラジオ受信装置であり、アンテナ２０、チューナ２１、スピーカ２２、ＲＤＳ復調回路２３、及びマイコン２４を含んで構成される。また、本実施形態のＲＤＳ受信装置１０は、カーステレオ（不図示）に設けられていることとする。なお、チューナ２１、ＲＤＳ復調回路２３が受信機に相当し、チューナ２１、ＲＤＳ復調回路２３、及びマイコン２５が受信装置に相当する。
【００１６】
チューナ２１は、フロントエンド回路（ＦＥ）３０、ＩＦアンプ３１、検波回路３２、再生回路３３、ＰＬＬ（Phase Locked Loop）３４、Ｓメータ回路４０、クオリティセンサ回路（Ｑセンサ）４１、及びＩＦカウンタ４２を含んで構成される。
【００１７】
フロントエンド回路３０は、アンテナ２０で受信する放送信号を、ＰＬＬ３４から出力される発振信号でダウンコンバートして中間周波数のＩＦ信号を生成する。なお、ＩＦ信号の周波数は、例えば１０．７ＭＨｚである。
【００１８】
ＩＦアンプ３１はＩＦ信号を増幅し、検波回路３２は、増幅されたＩＦ信号をＦＭ検波し検波信号を出力する。
【００１９】
再生回路３３は、検波信号に基づいて音声信号を生成するとともに、スピーカ２２で音声信号を再生する。なお、再生回路３３は、例えば代替局サーチの間には、マイコン２４により音声信号がミュートされるよう制御される。また、再生回路３３は、マイコン２４の指示により、再生する音声信号のステレオ、モノラル等を変化させる。
【００２０】
ＰＬＬ３４は、マイコン２４により指定された周波数の発振信号を生成する回路である。
【００２１】
Ｓメータ回路４０は、ＩＦ信号に基づいて、ＩＦ信号の受信電界強度を示す信号ＳＤＣと、ＩＦ信号の変動成分の信号である信号ＳＡＣとを生成する。なお、信号ＳＤＣは、いわゆるＳメータＤＣであり、所望チャネルの受信電界強度が強くなると、信号ＳＤＣの電圧レベルは高くなる。また、信号ＳＡＣは、いわゆるＳメータＡＣである。
【００２２】
クオリティセンサ回路４１は、例えば信号ＳＡＣに基づいて、所望のチャネルの隣接妨害やマルチパスノイズ等を検出する回路である。なお、音声信号、ＲＤＳ信号は、ＩＦ信号や信号ＳＡＣの夫々の中心周波数から５９ｋＨｚ（ＲＤＳ信号の中心周波数５７ｋＨｚ＋変調成分２ｋＨｚ）程度までの帯域に含まれる。このため、例えば、信号ＳＡＣの中心から６０ｋＨｚ以上の帯域に含まれる信号成分は、隣接妨害や、マルチパスノイズ等のノイズ成分である。クオリティセンサ回路４１は、例えば、図２に示すように、ハイパスフィルタ（ＨＰＦ）６０、整流回路６１、ローパスフィルタ（ＬＰＦ）６２、及び判定回路６３を含んで構成される。
【００２３】
ハイパスフィルタ６０は、信号ＳＡＣに含まれるマルチパスノイズ等を抽出すべく、信号ＳＡＣの高周波成分（例えば、６０ｋＨｚ以上）を通過させる。
【００２４】
整流回路６１は、ハイパスフィルタ６１で抽出されたマルチパスノイズ等を整流する。
【００２５】
ローパスフィルタ（ＬＰＦ）６２は、整流されたマルチパスノイズ等を積分することにより、マルチパスノイズ等のレベルに応じた直流電圧を生成する。
【００２６】
判定回路６３は、ローパスフィルタ６２の直流電圧を、所定レベルの電圧と比較することにより、マルチパスノイズ等が生じているか否かを判定する。具体的には、ローパスフィルタ６２の直流電圧が所定レベルの電圧より高い場合、判定回路６３は、マルチパスノイズ等が有ることを示す信号ＳＱを出力する。一方、ローパスフィルタ６２の直流電圧が所定レベルの電圧より低い場合、判定回路６３は、マルチパスノイズ等が無いことを示す信号ＳＱを出力する。なお、判定回路６３は、例えば、所定レベルの電圧を生成する基準電圧回路（不図示）と、コンパレータ（不図示）とを含んで構成できる。
【００２７】
ＩＦカウンタ４２は、所望のチャネルの隣接妨害を検出すべく、ＩＦ信号の周波数をカウントする周波数カウンタである。ＩＦ信号の周波数は、例えば隣接妨害があると変化する。このため、ＩＦカウンタ４２が所定期間にカウントするカウント値は、隣接妨害の有無等により変化する。
【００２８】
ＲＤＳ復調回路２３は、検波信号からＲＤＳデータを復調する。ＲＤＳ復調回路２３は、検波信号に含まれるＲＤＳ信号を抽出するフィルタ（不図示）と、フィルタからの出力をスライスしてデジタル化（矩形波化）するスライス回路（不図示）とを含んで構成される。なお、ＲＤＳ復調回路２３からの出力をＲＤＳデータとする。
【００２９】
図３は、ＲＤＳデータのベースバンド符号構造を示す図である。ＲＤＳデータは１０４ビットからなるグループ単位で構成される。１グループは４つのブロックからなり、１ブロックは２６ビットである。そのうち１６ビットは情報ワード（情報データ）で残り１０ビットは付加ワードである。情報ワードには、例えば、受信している番組に関する情報や、放送局の代替局の情報等の放送信号に関する情報が含まれている。また、付加ワードは、情報ワードの誤り検出／訂正符号のシンドローム計算により算出される検査ワード（誤り検出データ）と、ブロック識別のためのオフセットワードとの排他的論理和により生成される。なお、検査ワード及びオフセットワードはともに１０ビットである。また、所定のオフセットワード（Ａ，Ｂ，Ｃ，Ｃ’，Ｄ）は、例えば、Ａ→Ｂ→Ｃ（Ｃ’）→Ｄの順にブロック１からブロック４に付加される。
【００３０】
マイコン２４（データ処理装置）は、ＲＤＳ受信装置１０の全体を統括制御する回路であり、ＡＤコンバータ（ＡＤＣ）５０、ＲＯＭ（Read Only Memory）５１、ＲＡＭ（Random Access Memory）５２、及びマイコンコア５３を含んで構成される。マイコン２４は、ユーザが指定している放送局の受信状況を検出し、各種処理を実行する。具体的には、例えば、マイコン２４は、指定された放送局の受信状況が悪化すると、代替局の受信状況を確認する代替局サーチを開始する。
【００３１】
ＡＤコンバータ５０は、入力される信号ＳＤＣの電圧レベルをデジタル値に変換する。ＲＯＭ５１は、例えば、マイコンコア５３が実行するプログラムデータを記憶する。ＲＡＭ５２には、マイコンコア５３が各種処理を実行する際のデータが記憶される。
【００３２】
マイコンコア５３は、ＲＯＭ５１に記憶されるプログラムデータを実行することにより各種機能を実現する。
【００３３】
図４は、マイコンコア５３がプログラムデータを実行することにより、マイコン２４に実現される機能ブロックの構成を示す図である。
【００３４】
マイコン２４は、シンドローム計算部８０、オフセットワード検出部８１、ブロック同期検出部８２、復号部８３、取得部８４、判定部８５、及びチューナ制御部８６を実現する。なお、シンドローム計算部８０、オフセットワード検出部８１は、誤り検出部に相当し、復号部８３、判定部８５、及びチューナ制御部８６は制御部に相当する。
【００３５】
シンドローム計算部８０は、ＲＤＳ復調回路２３から順次入力されるＲＤＳデータを２６ビット取り込むと、先に入力された上位１６ビットのデータのシンドローム計算を行う。
【００３６】
オフセットワード検出部８１は、シンドローム計算結果、つまり計算された検査ワードに対し、各オフセットワード（Ａ〜Ｄ）の排他的論理和を演算する。そして、オフセットワード検出部８１は、演算結果のいずれかが、取り込まれた２６ビットの下位１０ビットの付加ワードに一致するか否かを判定する。演算結果がいずれかの付加ワードに一致した場合、オフセットワードが検出されたことになる。また、オフセットワードが検出されない場合、シンドローム計算部８０は、シンドローム計算部８０が取り込んだ２６ビットの次に入力される１ビットを取り込み、新たに取り込んだ２６ビットのデータに対しシンドローム計算を再度実行する。このような処理が繰り返されるため、最終的にオフセットワードは検出される。
【００３７】
ブロック同期検出部８２は、例えばオフセットワードが２回連続して検出されると、ブロック同期がとれたことを示す同期信号を、ブロックごとに生成する。具体的には、オフセットワードがＡ→Ｂのように所望の順序で検出され場合に同期信号は生成される。また、シンドローム計算部８０は、同期信号が入力されると、オフセットワードの検出結果によらず、入力されるＲＤＳデータのうち、新たに２６ビットずつ取り込んでシンドローム計算をし続ける。このため、例えば、ＲＤＳデータに誤りが生じていない場合、同期信号は出力され続ける。
【００３８】
なお、ブロック同期が取れた後において、例えば情報ワードに誤りがある場合、オフセットワードは検出されない。このため、ブロック同期が取れた後におけるオフセットワード検出部８１の検出結果は、例えば情報ワードに誤りがあるか否かを示す誤り検出結果を示すことになる。また、ブロック同期が取れた後において、例えば情報ワード等に誤りが無い場合、同期信号は所定期間ごとに生成される。
【００３９】
復号部８３は、同期信号とＲＤＳデータとに基づいて、ＲＤＳデータを復号する。そして、復号した復号データをチューナ制御部８６に出力する。
【００４０】
取得部８４は、デジタル化された信号ＳＤＣ、信号ＳＱ、ＩＦカウンタ４２のカウント値を取得し、判定部８５とチューナ制御部８６の夫々に出力する。なお、信号ＳＤＣ、信号ＳＱ、ＩＦカウンタ４２のカウント値は、受信情報に相当する。
【００４１】
判定部８５は、信号ＳＤＣ、信号ＳＱ、ＩＦカウンタ４２のカウント値、同期信号の夫々に基づいて、受信している放送局の受信状況が悪化したか否かを判定する。また、判定部８５は、例えば、受信している放送局で少なくとも１回ブロック同期が取れた後、所定期間Ｔ１ごとに受信状況の判定をする。そして、判定部８５は、受信状況が悪化したと判定すると、代替局サーチを開始させるトリガを生成する。具体的には、判定部８５は、受信電界強度を示す信号ＳＤＣのレベルが、例えば所定期間Ｔ１内に所定レベル以下にｎ回以上なるとトリガを生成する。また、判定部８５は、例えば、所定期間Ｔ１内にマルチパスノイズ等があることを示す信号ＳＱがｍ回以上出力されるとトリガを生成する。また、判定部８５は、例えば所定期間Ｔ１より短い所定期間Ｔ２ごとにＩＦカウンタ４２のカウント値を取得し、取得したカウント値が所定の値とならない回数がｋ回以上となるとトリガを生成する。また、判定部８５は、例えば、所定期間Ｔ１内に同期信号が出力される回数がｊ回以下となるとトリガを生成する。なお、判定部８５は、前述の同期信号が出力される回数等をカウントするとともに、例えば、受信している放送局で少なくとも１回ブロック同期が取れたタイミングから所定期間Ｔ１を計時する。また、判定部８５によりカウントされる同期信号の出力回数等は、例えばチューナ制御部８６がチューナ２１の受信局を変更する際や、所定期間Ｔ１が経過するたびにチューナ制御部８６にリセットされる。なお、所定期間Ｔ１や、ｎ，ｍ，ｋ，ｊの値は、プログラム等を変更することで自由に設定できる。
【００４２】
ここで、マイコン２４が例えば同期信号に基づいて受信状況が悪化しているか否かを判定する際の動作を、図５を参照しつつ説明する。なお、図５のフローチャートの処理の主体はマイコン２４の各機能ブロックである。また、判定部８５は、例えば受信している放送局で１回ブロック同期が取れたタイミングから同期信号のカウントを開始し、所定期間Ｔ１ごとに受信状況の判定をする。また、所定期間Ｔ１は、ブロック同期が取れている場合に、連続してｉ回の同期信号が出力される期間であることとする。したがって、所定期間Ｔ１にカウントされる同期信号の回数は、例えば情報ワード等に誤りがない場合においてはｉ回となる。一方、例えば、情報ワード等に誤りが発生する場合、所定期間Ｔ１にカウントされる同期信号の回数はｉ回よりも小さくなる。
【００４３】
まず、シンドローム計算部８０は、入力されるＲＤＳデータを取得し、シンドローム計を実行する（Ｓ１０）。オフセットワード検出部８１は、シンドローム計算結果に基づいて、オフセットワードを検出し、検出結果をブロック同期検出部８２に出力する（Ｓ１１）。そして、ブロック同期検出部８２は、オフセットワードの検出結果に基づいて、ＲＤＳデータのブロック同期を検出する（Ｓ１２）。判定部８５は、同期信号のカウントが開始されてから所定期間Ｔ１が経過したか否かを判定する（Ｓ１３）。また、判定部８５は、所定期間Ｔ１が経過するまで同期信号が出力される回数をカウントし続ける。そして、所定期間Ｔ１が経過すると（Ｓ１３：ＹＥＳ）、カウントした同期信号の回数と、ｊ回（０＜ｊ＜ｉ）とを比較する（Ｓ１４）。判定部８５は、カウントした同期信号がｊ回以下であると（Ｓ１４：ＹＥＳ）、受信状況が悪化していると判定してトリガを生成する（Ｓ１５）。一方、カウントした同期信号がｊ回より多いと（Ｓ１４：ＮＯ）、判定部８５は、受信状況は悪化していないと判定し、カウントした同期信号の値をリセットする（Ｓ１６）。その後、判定部８５は、処理Ｓ１０を再び実行し、受信状況が悪化したか否かを判定する。なお、図５では、判定部８５が同期信号をカウントしてｊ回よりも少ないか否かに基づいてトリガを生成する処理について説明したが、例えば、信号ＳＤＣのレベルが、所定期間Ｔ１内に所定レベル以下にｎ回なる場合も、処理Ｓ１３〜Ｓ１６は同様である。このため、他の信号ＳＤＣ、信号ＳＱ、ＩＦカウンタ４２のカウントに基づいて判定部８５がトリガを生成する際の処理の詳細については割愛する。
【００４４】
チューナ制御部８６は、復号データに含まれる代替局を示す代替局データに基づいて、代替局を記憶する。また、チューナ制御部８６は、トリガに基づいて、代替局サーチを開始すべく、再生回路３３、ＰＬＬ３４を制御する。具体的には、例えば、トリガが入力されると、チューナ制御部８６は、ＲＤＳ受信装置１０が代替局を受信できるようにＰＬＬ３４を制御する。また、代替局サーチの間に、音声信号に異音が混入することを防ぐため、チューナ制御部８６は、音声信号がミュートされるよう再生回路３３を制御する。さらに、チューナ制御部８６は、例えば代替局サーチの間に取得部８４が取得する代替局の信号ＳＤＣ等に基づいて、受信局を代替局に切り替えるか否か等を決定する。また、チューナ制御部８６は、例えば、ＲＤＳ受信装置１０が指定された放送信号を受信している際、例えば信号ＳＤＣのレベルに応じて、再生回路３３を制御し、音声信号のステレオ、モノラル等を変化させる。
【００４５】
＝＝ＲＤＳ受信装置１０の動作＝＝
ここで、ＲＤＳ受信装置１０の動作について図６を参照しつつ説明する。なお、ここでは、ＲＤＳ受信装置１０は、ユーザが指定した放送局を受信しており、ＲＤＳデータのブロック同期は取れていることとする。また、図６のフローチャートの処理の主体はマイコン２４の各機能ブロックである。
【００４６】
まず、判定部８５は、前述のように受信している放送局でブロック同期が取れたタイミングから、信号ＳＤＣ、信号ＳＱ、ＩＦカウンタ４２のカウント値、同期信号の夫々に基づいて受信状況の判定開始する（Ｓ１００）。具体的には、判定部８５は、信号ＳＤＣのレベルが所定レベル以下になる回数と、信号ＳＱが出力される回数と、取得したＩＦカウンタ４２のカウント値が所定の値とならない回数と、同期信号が出力される回数とのカウントを開始する。
【００４７】
そして、判定部８５は、判定を開始してから所定期間Ｔ１が経過すると、受信している受信状況が悪化したか否かを判定する（Ｓ１０１）。具体的には、判定部８５は、信号ＳＤＣのレベルが所定レベル以下になる回数がｎ回以上か、信号ＳＱが出力される回数がｍ回以上か、取得したＩＦカウンタ４２のカウント値が所定の値とならない回数がｋ回以上か、同期信号が出力される回数がｊ回以下となると、受信状況は悪化と判定し（Ｓ１０１：ＹＥＳ）、トリガを生成する（Ｓ１０３）。
【００４８】
一方、判定部８５は、信号ＳＤＣのレベルが所定レベル以下になる回数がｎ回より少ないか、信号ＳＱが出力される回数がｍ回より少ないか、取得したＩＦカウンタ４２のカウント値が所定の値とならない回数がｋ回より少ない、同期信号が出力される回数がｊ回より多いと、受信状況は悪化していないと判定し（Ｓ１０１：ＮＯ）、夫々の回数をカウントしたカウント値はリセットされる（Ｓ１０２）。
【００４９】
トリガが生成されると（Ｓ１０３）、チューナ制御部８６は、ＲＤＳ受信装置１０の受信局を、指定された放送局から代替局へと切り替える（Ｓ１０４）。そして、受信局が代替局となると、代替局の受信状況を確認すべく、取得部８４は、例えば信号ＳＤＣを取得する（Ｓ１０５）。この結果、チューナ制御部８６は、取得された代替局の信号ＳＤＣに基づいて、例えば代替局に切り替えるか否か等を決定することができる。
【００５０】
以上、本実施形態のＲＤＳ受信装置１０について説明した。例えば、周波数成分の高いマルチパスノイズが発生すると、ＲＤＳ受信装置１０の受信状況が悪化することがある。一般に、周波数成分の高いマルチパスノイズは短時間で急減に変化するノイズであるため、例えばクオリティセンサ回路４１で検出できない。しかしながら、情報ワード等のＲＤＳデータはマルチパスノイズ等によって誤ることがある。例えば情報ワードに誤りがあると、同期信号が生成されなくなるため、判定部８５は代替局サーチを開始させるためのトリガを生成する。このため、本実施形態では、例えばクオリティセンサ回路４１等で検出できないようなマルチパスノイズが生じ、指定された放送局の受信状況が悪化した場合であっても、確実に代替局サーチを開始することができる。
【００５１】
また、例えばマルチパスノイズ等により所定の回数だけ情報ワードが誤り、オフセットワード検出部８１が所定の回数だけ情報ワードの誤りを検出すると、同期信号が出力される回数がｊ回以下となることがある。そして、出力される同期信号がｊ回以下となると、判定部８５は代替局サーチを開始させるためのトリガを生成する。例えば、ｊ回の値が大きい場合、指定された放送局の受信状況が少しでも悪化した場合に直ぐ代替局サーチを開始する。このため、代替局サーチにより音切れ等が生じやすくなるものの、再生される音声信号の音質は高くなる。一方、例えば、ｊ回の値が小さい場合、指定された放送局の受信状況が悪化しても直ぐ代替局サーチは開始されない。このため、再生される音声信号の音質は低くなるものの、代替局サーチにより音切れ等が生じにくくなる。このように、本実施形態では、トリガはｊ回に基づいて生成されるため、代替局サーチが開始される音質をｊ回に基づいて定めることができる。
【００５２】
また、判定部８５は、信号ＳＤＣ、信号ＳＱ、ＩＦカウンタ４２のカウント値、同期信号の４つ情報に基づいて、受信している放送局の受信状況が悪化したか否かを判定し、トリガを生成する。このため、同期信号を用いずに代替局サーチする場合と比較すると、判定部８５及びチューナ制御部８６は、放送局の受信状況が悪化した場合に、より確実に代替局サーチを開始できる。
【００５３】
また、ＲＯＭ５１には、マイコン２４に対し、情報ワードの誤り検出をさせ、信号ＳＤＣ等の受信状況を示す情報を取得させ、代替局サーチをさせるためのプログラムが格納されている。
【００５４】
また、チューナ２１、ＲＤＳ復調回路２３、及ぶマイコン２４を含むＲＤＳ受信装置１０では、例えばクオリティセンサ回路４１等で検出できないようなマルチパスノイズが生じ、指定された放送局の受信状況が悪化した場合であっても、確実に代替局サーチを開始することができる。
【００５５】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００５６】
例えば、本実施形態では、検査ワードに基づいて、情報ワードの誤り訂正を実行しなかったが、マイコン２４が誤り訂正を実行する機能ブロックを有しても良い。そして、例えば、誤り訂正された情報ワード等に基づいて、ブロックの同期検出がされることとしても良い。この場合には、例えば、指定された受信局の受信状況等が悪化しても、誤り訂正がされる限り同期信号は出力され続ける。このような場合であっても、判定部８５が、例えばオフセットワード検出部８１での誤り検出結果に基づいてトリガを生成すれば、本実施形態と同様の効果を得ることができる。
【符号の説明】
【００５７】
２０  アンテナ
２１  チューナ
２２  スピーカ
２３  ＲＤＳ復調回路
２４  マイコン
３０  フロントエンド回路（ＦＥ）
３１  ＩＦアンプ
３２  検波回路
３３  再生回路
３４  ＰＬＬ
４０  Ｓメータ回路
４１  クオリティセンサ回路（Ｑセンサ）
４２  ＩＦカウンタ
５０  ＡＤＣ
５１  ＲＯＭ
５２  ＲＡＭ
５３  マイコンコア
６０  ハイパスフィルタ（ＨＰＦ）
６１  整流回路
６２  ローパスフィルタ（ＬＰＦ）
６３  判定回路
８０  シンドローム計算部
８１  オフセットワード検出部
８２  ブロック同期検出部
８３  復号部
８４  取得部
８５  判定部
８６  チューナ制御部
【図１】
2011120055.tif 000003
【図２】
2011120055.tif 000004
【図３】
2011120055.tif 000005
【図４】
2011120055.tif 000006
【図５】
2011120055.tif 000007
【図６】
2011120055.tif 000008
【図７】
2011120055.tif 000009
【図８】
2011120055.tif 000010